【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
ハウジングと、
該ハウジングの一端を覆い、可燃性ガス通路が形成されたヘッドカバーと、
該ヘッドカバーに支持されたモータにより回転するファンと、
前記ハウジング内において移動可能に案内され、前記ヘッドカバーと共に燃焼室を画成する燃焼室枠と、
前記燃焼室内の可燃性ガスと空気との混合気を着火するため前記燃焼室に臨む点火プラグと点火グランドからなる点火部と、を備えた燃焼式釘打機であって、
前記点火プラグの近傍であって、前記ヘッドカバーの前記燃焼室側面から前記燃焼室側に突出して前記ヘッドカバーの径方向に延びる第１突出部と、前記ヘッドカバーの前記燃焼室側面から前記燃焼室側に突出して前記ヘッドカバーの周方向に延びる第２突出部とを有し、前記第１突出部及び前記第２突出部によって前記点火プラグの周囲の少なくとも一部を覆うことを特徴とする燃焼式釘打機。
【請求項２】
前記ヘッドカバーは前記モータを支持し前記燃焼室側に突出するモータ支持部を有し、前記第１突出部は、前記モータ支持部の外周面との間に隙間が形成されるように設けられていることを特徴とする請求項１記載の燃焼式釘打機。
【請求項３】
前記第１突出部と前記第２突出部とは一体に形成されていることを特徴とする請求項１又は２記載の燃焼式釘打機。
【請求項４】
前記点火グランドは、前記第１突出部の前記点火プラグ側に設けられていることを特徴とする請求項１乃至３のいずれかに記載の燃焼式釘打機。
【請求項５】
前記ヘッドカバーの前記燃焼室側面から前記燃焼室側に突出して前記ヘッドカバーの径方向に延び、前記点火プラグに対して前記第１突出部と反対側に第３突出部を設けたことを特徴とする請求項１乃至４のいずれかに記載の燃焼式釘打機。
【請求項６】
ハウジングと、
該ハウジングの一端を覆い、可燃性ガス通路が形成されたヘッドカバーと、
該ヘッドカバーに支持されたモータにより回転するファンと、
前記ハウジング内において移動可能に案内され、前記ヘッドカバーと共に燃焼室を画成する燃焼室枠と、
前記燃焼室内の可燃性ガスと空気との混合気を着火するため前記燃焼室に臨む点火プラグと点火グランドからなる点火部と、を備えた燃焼式釘打機であって、
前記点火部を覆うように、前記ヘッドカバーの前記燃焼室側の面から前記燃焼室側に前記ヘッドカバーの周方向に延びるカバーを設け、該カバーは該カバーの燃焼室側面に複数の穴を有することを特徴とする燃焼式釘打機。
【請求項７】
前記ヘッドカバーの前記燃焼室側の面と前記カバーとの間に隙間を設けたことを特徴とする請求項６記載の燃焼式釘打機。
【請求項８】
ハウジングと、
該ハウジングの一端を覆い、可燃性ガス通路が形成されたヘッドカバーと、
該ヘッドカバーに支持されたモータにより回転するファンと、
前記ハウジング内において移動可能に案内され、前記ヘッドカバーと共に燃焼室を画成する燃焼室枠と、
前記燃焼室内の可燃性ガスと空気との混合気を着火するため前記燃焼室に臨む点火プラグと点火グランドからなる点火部と、を備えた燃焼式釘打機であって、
前記点火プラグの近傍であって、前記ヘッドカバーの前記燃焼室側面から前記燃焼室側に突出して前記ヘッドカバーの径方向に延び前記点火グランドが設けられる突出部を有し、更に、前記燃焼室枠の前記ヘッドカバー側に前記ヘッドカバーの周方向に延び前記突出部と共に前記点火部を囲む囲い部を設けたことを特徴とする燃焼式釘打機。
【請求項９】
ハウジングと、
該ハウジングの一端を覆い、可燃性ガス通路が形成されたヘッドカバーと、
該ヘッドカバーに支持されたモータにより回転するファンと、
前記ハウジング内において移動可能に案内され、前記ヘッドカバーと共に燃焼室を画成する燃焼室枠と、
前記燃焼室内の可燃性ガスと空気との混合気を着火するため前記燃焼室に臨む点火プラグと点火グランドからなる点火部と、を備えた燃焼式釘打機であって、
前記ヘッドカバーは、前記モータを支持するモータ支持部と、前記点火プラグの近傍であって、前記ヘッドカバーの前記燃焼室側面から前記燃焼室側に突出して前記モータ支持部側から外方向に延びる突出部を有し、該突出部の前記モータ支持部側端部と前記モータ支持部との間に隙間を設けたことを特徴とする燃焼式釘打機。
【手続補正２】
【補正対象書類名】明細書
【補正対象項目名】００１５
【補正方法】変更
【補正の内容】
【００１５】
上記した目的を達成するため、本発明の請求項１は、点火プラグの近傍であって、ヘッドカバーの燃焼室側面から燃焼室側に突出してヘッドカバーの径方向に延びる第１突出部と、ヘッドカバーの燃焼室側面から燃焼室側に突出してヘッドカバーの周方向に延びる第２突出部とを有し、第１突出部及び第２突出部によって点火プラグの周囲の少なくとも一部を覆うことを特徴としている。
【手続補正３】
【補正対象書類名】明細書
【補正対象項目名】００１６
【補正方法】変更
【補正の内容】
【００１６】
また、請求項２は、ヘッドカバーはモータを支持し燃焼室側に突出するモータ支持部を有し、第１突出部は、モータ支持部の外周面との間に隙間が形成されるように設けられていることを特徴としている。
【手続補正４】
【補正対象書類名】明細書
【補正対象項目名】００１７
【補正方法】変更
【補正の内容】
【００１７】
また、請求項３は、第１突出部と第２突出部とは一体に形成されていることを特徴としている。また、請求項４は、点火グランドは、第１突出部に設けられていることを特徴としている。
【手続補正５】
【補正対象書類名】明細書
【補正対象項目名】００１８
【補正方法】変更
【補正の内容】
【００１８】
また、請求項５は、ヘッドカバーの燃焼室側面から燃焼室側に突出してヘッドカバーの径方向に延び、点火プラグに対して第１突出部と反対側に第３突出部を設けたことを特徴としている。
【手続補正６】
【補正対象書類名】明細書
【補正対象項目名】００１９
【補正方法】変更
【補正の内容】
【００１９】
さらに、本発明の請求項６は、点火部を覆うように、ヘッドカバーの燃焼室側の面から燃焼室側にヘッドカバーの周方向に延びるカバーを設け、カバーはカバーの燃焼室側面に複数の穴を有することを特徴としている。
【手続補正７】
【補正対象書類名】明細書
【補正対象項目名】００２０
【補正方法】変更
【補正の内容】
【００２０】
また、請求項７は、ヘッドカバーの燃焼室側の面とカバーとの間に隙間を設けたことを特徴としている。
【手続補正８】
【補正対象書類名】明細書
【補正対象項目名】００２１
【補正方法】変更
【補正の内容】
【００２１】
さらに、本発明の請求項８は、点火プラグの近傍であって、ヘッドカバーの燃焼室側面から燃焼室側に突出してヘッドカバーの径方向に延び点火グランドが設けられる突出部を有し、更に、燃焼室枠のヘッドカバー側にヘッドカバーの周方向に延び点火部を囲むように囲い部を設けたことを特徴としている。
【手続補正９】
【補正対象書類名】明細書
【補正対象項目名】００２２
【補正方法】変更
【補正の内容】
【００２２】
さらに、本発明の請求項９は、ヘッドカバーは、モータを支持するモータ支持部と、点火プラグの近傍であって、ヘッドカバーの燃焼室側面から燃焼室側に突出してモータ支持部側から外方向に延びる突出部を有し、突出部のモータ支持部側端部とモータ支持部との間に隙間を設けたことを特徴としている。
【手続補正１０】
【補正対象書類名】明細書
【補正対象項目名】００２３
【補正方法】変更
【補正の内容】
【００２３】
請求項１記載の燃焼式釘打機によれば、点火プラグの近傍に、ヘッドカバーから燃焼室側に突出し径方向に延びる第１部材と周方向に延びる第２部材により点火プラグの周囲を覆うようにしたため、点火プラグのスパークにより生じた火種がファンによる混合気の流れでかき消されることを防止でき、高いファン能力により高いガス撹拌性能、高い燃焼エネルギー、高い送風能力を持ったまま、安定した着火率を実現することが可能となり、釘を確実に打ちこむことが可能となる。また、請求項２記載の燃焼式釘打機によれば、モータ支持部と第１突出部の間に隙間を設けたため、点火プラグや点火グランド付近に付着する煤や油を清掃する際に第１突出部が障害となることがなく、清掃が容易になる。
【手続補正１１】
【補正対象書類名】明細書
【補正対象項目名】００２４
【補正方法】変更
【補正の内容】
【００２４】
請求項３記載の燃焼式釘打機によれば、第１突出部と第２突出部を一体に形成したため、第１突出部と第２突出部との間に隙間がなくなるため、点火プラグのスパークにより生じた火種がファンによる混合気の流れでかき消されることを確実に防止できる。また、請求項４記載の燃焼式釘打機によれば、点火グランドを第１突出部の点火プラグ側に設けたため、火種がファンによる混合気の流れでかき消されることをより確実に防止できる。さらに、請求項５記載の燃焼式釘打機によれば、点火プラグに対して第１突出部の反対側に第３突出部を設けたため、第１乃至第３突出部によって点火プラグを囲むことができ、火種がファンによる混合気の流れでかき消されることをより確実に防止できる。
【手続補正１２】
【補正対象書類名】明細書
【補正対象項目名】００２５
【補正方法】変更
【補正の内容】
【００２５】
請求項６及び７記載の燃焼式釘打機によれば、点火部を覆うようにしてカバーを設け、カバーの外面に複数の穴を設けたため、火種がファンによる混合気の流れでかき消されることを確実に防止できると共に、混合気への着火が確実にできる。
【手続補正１３】
【補正対象書類名】明細書
【補正対象項目名】００２６
【補正方法】変更
【補正の内容】
【００２６】
請求項８記載の燃焼式釘打機によれば、ヘッドカバーの径方向に延びる突出部と燃焼室枠に点火部を囲む囲い部を設けたため、点火プラグのスパークにより生じた火種がファンによる混合気の流れでかき消されることを防止でき、高いファン能力により高いガス撹拌性能、高い燃焼エネルギー、高い送風能力を持ったまま、安定した着火率を実現することが可能となり、釘を確実に打ちこむことが可能となる。
【手続補正１４】
【補正対象書類名】明細書
【補正対象項目名】００２７
【補正方法】変更
【補正の内容】
【００２７】
更に、請求項９記載の燃焼式釘打機によれば、突出部とモータ支持部との間に隙間を設けたため、突出部により点火プラグのスパークにより生じた火種がファンによる混合気の流れでかき消されることを防止できるとともに、隙間により点火プラグや点火グランド付近に付着する煤や油を清掃する際に突出部が障害となることがなく、清掃が容易になる。